(57)【要約】【課題】撥液状態（初期状態）にある記録体表面を、均一に親液状態とする手段を備えた親液処理装置を提供する。【解決手段】液体と接触状態で加熱した時に後退接触角が低下し、インク等の液体に対し親液性を示す状態（親液状態）となり、且つ液体と非接触状態で加熱した時に後退接触角が上昇し、前記液体に対し疎液性を示す状態（撥液状態）となる記録材料よりなる記録層を有する記録体１に対して、記録体表面の親液処理を行う親液処理装置において、記録体１を搬送する手段２，７ａ〜７ｆ，１１と、記録体１を加熱状態の液体４に接触させる手段７ａ，７ｂと、液体４と接触した状態で冷却する手段と、冷却後に液体を除去・洗浄する手段８，９と、記録体１を乾燥する手段１０を備え、加熱状態の液体を格納する容器３に、液体を攪拌する手段６、または加熱する手段、あるいはその両方を有する構成とした。【選択図】              図１
2004291252.tif 000002
【特許請求の範囲】
【請求項１】
液体と接触状態で加熱した時に後退接触角が低下し、液体に対し親液性を示す状態（以下、親液状態と記す）となり、且つ液体と非接触状態で加熱した時に後退接触角が上昇し、液体に対し疎液性を示す状態（以下、撥液状態と記す）となる記録材料よりなる記録層を有する記録体に対して、該記録体表面の親液処理を行う親液処理装置において、
前記記録体を搬送する手段と、該記録体を加熱状態の液体に接触させる手段と、該液体と接触した状態で冷却する手段と、冷却後に前記液体を除去・洗浄する手段と、前記記録体を乾燥する手段を備え、加熱状態の液体を格納する容器に、液体を攪拌する手段、または加熱する手段、あるいはその両方を有することを特徴とする親液処理装置。
【請求項２】
請求項１記載の親液処理装置において、
加熱状態の液体を格納する容器の底面に、該液体を加熱する手段を有することを特徴とする親液処理装置。
【請求項３】
請求項１記載の親液処理装置において、
加熱状態の液体を格納する容器内部に、該液体を加熱する手段を有することを特徴とする親液処理装置。
【請求項４】
請求項１記載の親液処理装置において、
前記記録体が液体と接触中に、該記録体裏面に接触して記録体と液体を加熱する手段を有することを特徴とする親液処理装置。
【請求項５】
請求項１記載の親液処理装置において、
前記記録体が液体と接触中に、該記録体裏面に接触して記録体と液体を加熱し、且つ記録体搬送を補助する手段を有することを特徴とする親液処理装置。
【請求項６】
請求項１記載の親液処理装置において、
前記記録体の記録面が液体と接触中で、該記録体裏面が前記液体と非接触状態にあるときに、前記記録体裏面に接触して加熱する手段を有することを特徴とする親液処理装置。
【請求項７】
請求項１記載の親液処理装置において、
前記記録体の記録面が液体と接触中で、該記録体裏面が前記液体と非接触状態にあるときに、前記記録体裏面に接触して加熱し、且つ記録体搬送を補助する手段を有することを特徴とする親液処理装置。
【請求項８】
請求項１〜７のいずれか一つに記載の親液処理装置において、
加熱状態の液体を格納する容器（液槽）を半密閉状態とすることを特徴とする親液処理装置。
【請求項９】
請求項１記載の親液処理装置において、
前記記録体の記録面が液体と接触中で、該記録体裏面が前記液体と非接触状態にあるときに、前記記録体裏面に加熱した気体を噴射して加熱する手段を有することを特徴とする親液処理装置。
【請求項１０】
請求項１記載の親液処理装置において、
前記記録体の記録面が液体と接触中で、該記録体裏面が前記液体と非接触状態にあるときに、前記記録体裏面に非接触状態で加熱する手段を有することを特徴とする親液処理装置。
【発明の詳細な説明】
【０００１】
【発明の属する技術分野】
本発明は、感熱濡れ性変化を利用した印刷機、プリンター等の画像形成方法及び装置に用いられる記録体の画像形成前の記録体表面処理に関するものであり、より詳細には、感熱濡れ性材料からなる記録体に対して、該記録体表面の親液処理を行う親液処理装置に関する。
【０００２】
【従来の技術】
本出願人は先に、感熱濡れ性材料からなる記録体を利用した画像形成方法及び装置等を提案している（特許文献１参照）。この感熱濡れ性材料からなる記録体は、液体と接触状態で加熱した時に後退接触角が低下し、インク等の液体に対し親液性を示す状態（以下、親液状態と記す）となり、且つ液体と非接触状態で加熱した時に後退接触角が上昇し、インク等の液体に対し疎液性を示す状態（以下、撥液状態と記す）となる記録材料よりなる記録層を有しており、この記録層の感熱濡れ性変化を利用して画像形成や記録を行うことができる。また、特許文献１には、記録体の表面処理として、記録体表面を親液処理する方法が提案されている。
【０００３】
ここで特許文献１において提案された親液処理方法に関して以下に説明する。この親液処理方法では、表面の後退接触角が高い状態（撥液状態）、または、画像形成済みの記録体全面を、後退接触角低下開始温度以上に加熱された液体に接触し、該液体に接触したまま冷却することにより、記録体表面を親液状態にする。また、表面が撥液状態である記録体表面に、除去可能な液体層保持手段を用いて液体を接触したまま加熱し、そのまま冷却することにより記録体表面を親液状態にする。
【０００４】
このようして親液処理した記録体では、親液状態に必要な加熱臨界温度（Ｔ１）と撥液状態に必要な加熱臨界温度（Ｔ２）はほぼ一致する（Ｔ１≒Ｔ２）。しかし、記録体の親液状態に必要な加熱臨界温度（Ｔ１）が撥液状態に必要な加熱臨界温度（Ｔ２）よりも低ければ、親液処理時の液体接触加熱後の高温状態のままの基板により記録体表面が再加熱されても撥液状態に戻ることはありえない。また、撥液状態となる臨界温度（Ｔ２）以下で加熱した場合、基板温度は臨界温度以下であるため、記録体から液体除去後に記録体が撥液状態に戻ることはない。
【０００５】
【特許文献１】
特開平８−２７６６６３号公報
【０００６】
【発明が解決しようとする課題】
前述の特許文献１に記載の発明においては、記録体の特性上の親液処理方法については詳細に記載されている。しかしながら、具体的な親液処理手段については一切記載されていなかった。
本発明は上記事情に鑑みなされたものであり、撥液状態（初期状態）にある記録体表面を、均一に親液状態とする手段を備えた親液処理装置を提供することを目的とする。
【０００７】
より詳しく述べると、本発明は、
（１）記録体表面を均一に親液状態とする手段を備えた親液処理装置を提供すること、
（２）記録体表面に接触する液体の温度を維持し、且つ記録体表面を均一に親液状態とする手段を備えた親液処理装置を提供すること、
（３）記録体表面に接触する液体の温度を効率的に維持し、且つ記録体表面を均一に親液状態とする手段を備えた親液処理装置を提供すること、
（４）記録体表面を液体と接触中に、記録体表面を加熱することで記録体表面を均一に親液状態とする手段を備えた親液処理装置を提供すること、
（５）加熱手段と記録体搬送手段を統合することで装置構成を簡素化し、且つ記録体表面を液体と接触中に、記録体表面を加熱することで記録体表面を均一に親液状態とする手段を備えた親液処理装置を提供すること、
（６）記録体表面が液体と接触中に、効率的に記録体表面を加熱することで記録体表面を均一に親液状態とする手段を備えた親液処理装置を提供すること、
（７）加熱手段と記録体搬送手段を統合することで装置構成を簡素化し、記録体表面が液体と接触中に、効率的に記録体表面を加熱することで記録体表面を均一に親液状態とする手段を備えた親液処理装置を提供すること、
（８）液槽を半密閉状態とすることで該液槽からの熱の拡散を防止し、効率的に記録体表面を加熱することで記録体表面を均一に親液状態とする手段を備えた親液処理装置を提供すること、
（９）記録体表面が液体と接触中に、記録体裏面を該液体と接触させることなく加熱することで記録体表面を均一に親液状態とする手段を備えた親液処理装置を提供すること、
（１０）記録体表面が液体と接触中に、記録体裏面を該液体と接触させることなく且つ連続して加熱することで記録体表面を均一に親液状態とする手段を備えた親液処理装置を提供すること、
を目的（課題）としている。
【０００８】
【課題を解決するための手段】
上記目的を達成するための手段として、本発明では以下のような構成を採用している。
第１の構成は、液体と接触状態で加熱した時に後退接触角が低下し、液体（例えばインク等の液体）に対し親液性を示す状態（以下、親液状態と記す）となり、且つ液体と非接触状態で加熱した時に後退接触角が上昇し、液体（例えばインク等の液体）に対し疎液性を示す状態（以下、撥液状態と記す）となる記録材料よりなる記録層を有する記録体に対して、該記録体表面の親液処理を行う親液処理装置において、前記記録体を搬送する手段と、該記録体を加熱状態の液体に接触させる手段と、該液体と接触した状態で冷却する手段と、冷却後に前記液体を除去・洗浄する手段と、前記記録体を乾燥する手段を備え、加熱状態の液体を格納する容器（液槽）に、液体を攪拌する手段、または加熱する手段、あるいはその両方を有することを特徴としている（請求項１）。
【０００９】
第２の構成は、第１の構成の親液処理装置において、加熱状態の液体を格納する容器の底面に、該液体を加熱する手段を有することを特徴としている（請求項２）。
第３の構成は、第１の構成の親液処理装置において、加熱状態の液体を格納する容器内部に、該液体を加熱する手段を有することを特徴としている（請求項３）。
第４の構成は、第１の構成の親液処理装置において、前記記録体が液体と接触中に、該記録体裏面に接触して記録体と液体を加熱する手段を有することを特徴としている（請求項４）。
第５の構成は、第１の構成の親液処理装置において、前記記録体が液体と接触中に、該記録体裏面に接触して記録体と液体を加熱し、且つ記録体搬送を補助する手段を有することを特徴としている（請求項５）。
第６の構成は、第１の構成の親液処理装置において、前記記録体の記録面が液体と接触中で、該記録体裏面が前記液体と非接触状態にあるときに、前記記録体裏面に接触して加熱する手段を有することを特徴としている（請求項６）。
第７の構成は、第１の構成の親液処理装置において、前記記録体の記録面が液体と接触中で、該記録体裏面が前記液体と非接触状態にあるときに、前記記録体裏面に接触して加熱し、且つ記録体搬送を補助する手段を有することを特徴としている（請求項７）。
第８の構成は、請求項１〜７のいずれか一つに記載の親液処理装置において、加熱状態の液体を格納する容器（液槽）を半密閉状態とすることを特徴としている（請求項８）。
【００１０】
第９の構成は、第１の構成の親液処理装置において、前記記録体の記録面が液体と接触中で、該記録体裏面が前記液体と非接触状態にあるときに、前記記録体裏面に加熱した気体を噴射して加熱する手段を有することを特徴としている（請求項９）。
第１０の構成は、第１の構成の親液処理装置において、前記記録体の記録面が液体と接触中で、該記録体裏面が前記液体と非接触状態にあるときに、前記記録体裏面に非接触状態で加熱する手段を有することを特徴としている（請求項１０）。
【００１１】
【発明の実施の形態】
以下、本発明の構成、動作及び作用を、図示の実施例に基づいて詳細に説明する。
【００１２】
（実施例１）
図１は本発明の第１の構成の実施例を示す親液処理装置の概略構成図である。図１において、記録体１はロール状に記録体供給ロール２に巻装されており、記録体供給ロール２より順次供給され、複数のローラ７ａ〜７ｆに支持されて図中に矢印で示すような経路を通り、加熱状態の液体４を格納する容器（以下、液槽と記す）３と、洗浄液９を格納する洗浄用水槽８を順に通過し、スポンジローラ１０で液を拭き取られて乾燥され、記録体巻取ロール１１に巻き取られて収納される。
【００１３】
図１に示す液槽３には図示しない加熱装置により親液状態に必要な加熱臨界温度（Ｔ１）以上に加熱した液体４が満たされており、記録体１がローラ７ａ，７ｂに支持されて液体中を通過することにより親液処理される。このとき液槽３中の液体４は、記録体表面を破壊・変質しないものであれば如何なる液体でもよく、望ましくはＴ１以上において高い粘性があり、例としてはポリエチレングリコール、ポリビニルアルコール水溶液等が挙げられる。液槽３により親液処理された記録体１の表面は、液体と接触した状態で液槽３から出てローラ７ｃ、７ｄを通過する過程で冷却されるが、冷却後の記録体１の表面には、処理に用いた液体４が残留している可能性があるので、それは洗浄用水槽８において洗浄液９で洗浄除去される。そして、洗浄後の記録体１は洗浄用水槽８より取り出され、表面に付着した洗浄液９は乾燥手段により除去される。図１においては乾燥手段としてスポンジローラ１０が示されており、このスポンジローラ１０により洗浄液が拭き取られて乾燥されるが、これに限るものではなく、記録体表面を破壊・変質しない機構であれば如何なる手段でもよい。また、洗浄液９としては前述の液槽３中の液体４に対し相溶性があり、乾燥後表面に残留しない性質を有する液体が望ましい。洗浄液９の例としては水、望ましくはイオン交換水等が挙げられる。
【００１４】
液層３で記録体１に塗布した液体の冷却機構は示さないが、記録体１が液槽３から出てローラ７ｃ，７ｄを通過し、洗浄用水槽８で液体を除去するまでの間に、撥液状態の加熱臨界温度（Ｔ２）以下まで冷却するのが望ましく、そのような冷却能力を有するのであれば、自然乾燥、強制空冷等、如何なる機構でもかまわない。また、冷却機構については後述の実施例２〜１０でも共通の構成であるから、以後の各実施例の説明においては省略する。
【００１５】
図１中に示した液槽３には加熱した液体４が満たされているが、該液槽３内に加熱機構を持たない場合は、液表面より徐々に温度が低下する。その時、液面及び液層内部温度は均一ではなく、温度分布が存在している。図２に示すように、記録体１は液温により後退接触角が変化するため、この様な液体に接触した記録体表面の後退接触角は一定ではなく、不均一となる。また、記録体表面の後退接触角は図３に示すように画像濃度に影響し、後退接触角が低いほど画像濃度は向上する。従って後退接触角が不均一である場合、濃度ムラを招き、画像品質の低下を引き起こす要因となる。
【００１６】
そこで本実施例においては、図１に示すように液層３にモータ５とプロペラ６からなる攪拌手段を設け、液槽３内の液体４を攪拌手段のプロペラ６で攪拌することによって液槽３内の温度分布を解消し、記録体表面の後退接触角を均一にすることで、記録体全面を均一に親液処理することができ、良好な画像品質が得られる記録体を得ることができる。
【００１７】
（実施例２）
図４は本発明の第２の構成の実施例を示す親液処理装置の概略構成図である。図４において図１と同符号を付した部材は同じ構成部材であり、既に実施例１で説明しているので、ここでは説明を省略する。
本実施例は、液槽３の下部の底面に液槽内の液体４を加熱する手段（例えばヒータ）１２を有した親液処理装置を示している。また、本実施例においては図示しない温度センサにより液槽３内の液体温度を管理しており、該センサからの信号により加熱手段１２を調整し、液体４の温度を一定に保っている。また、図示しないが、液槽３内の液体４の温度を均一にするために、図１に示したような攪拌手段を設けるとよい。
【００１８】
実施例１においては液温により記録体表面の後退接触角が変化することを説明したが、本実施例の如く液槽３の下部に加熱手段（例えばヒータ）１２と温度センサ（図示せず）を設けることにより、液槽３内の液温を所望の温度に保つことができ、記録体表面の後退接触角を均一にすることで、記録体全面を均一に親液処理することができ、良好な画像品質が得られる記録体を得ることができる。
【００１９】
（実施例３）
図５は本発明の第３の構成の実施例を示す親液処理装置の概略構成図である。図５において図１と同符号を付した部材は同じ構成部材であり、既に実施例１で説明しているので、ここでは説明を省略する。
本実施例は、液槽３の内部（図では液層内の底面）に液体４を加熱する手段（例えばヒータ）１３を有した親液処理装置を示している。
【００２０】
実施例２においては、液槽３の外部の底面に液体４を加熱する手段１２を設けた構成を提案したが、この場合、加熱手段１２の構成が簡便である反面、液槽３の底部を隔てて液体４を加熱しているため、ある程度の熱効率の低下は避けられない。それに対して本実施例においては、液槽３の内部に加熱手段１３を設けているため、効率的に液体４を加熱することができる。また、図示しないが、液槽３内の液体の温度を均一にするために、図１に示したような攪拌手段を設けるとよい。
尚、本実施例においては、液槽３の内部の液中に加熱手段１３が存在するため、加熱手段１３に防水機構を備える必要があり、若干の装置の複雑化は避けられない。
【００２１】
（実施例４）
図６は本発明の第４の構成の実施例を示す親液処理装置の概略構成図である。図６において図１と同符号を付した部材は同じ構成部材であり、既に実施例１で説明しているので、ここでは説明を省略する。
本実施例は、液槽３内で記録体１の表面が液体４と接触している際、記録体１の裏面に接触し該記録体１と液体４を加熱する手段（例えばヒータ）１４を有する親液処理装置を示している。
【００２２】
本実施例においては、加熱手段（例えばヒータ）１４により、液体４と接触している記録体１と、その周辺の液体のみを加熱すればよく、熱効率的に極めて優れており、また、液体４の攪拌手段を設ける必要がなく、装置構成を大幅に簡素化できる。
一方、実施例２，３の構成においては、液槽３内の液体全体を加熱するため熱容量の大きな加熱手段を設ける必要があり、また、実施例２，３においては、液槽３内の液体４の温度を一定に保つために攪拌手段を設ける必要があり、装置構成が複雑で高価になる。
【００２３】
（実施例５）
図７は本発明の第５の構成の実施例を示す親液処理装置の概略構成図である。図７において図１と同符号を付した部材は同じ構成部材であり、既に実施例１で説明しているので、ここでは説明を省略する。
本実施例は、液槽３内で記録体１の表面が液体４と接触している際、記録体１の裏面に接触し記録体１の搬送を補助すると同時に、該記録体１と液体４を加熱する手段（例えばヒータ）を内蔵したローラ状部材（ヒータ内蔵ローラ）７ａ’，７ｂ’を有する親液処理装置を示している。
本実施例では、図６の実施例と比較して液槽３内の加熱手段（ヒータ）１４が省略され、装置構成が簡素化されているが、ヒータ内蔵ローラ７ａ’，７ｂ’が液槽３内の記録体裏面及び液体４と接触し、記録体１及び液体４を加熱しているため、図６の構成と同等の機能を有している。
【００２４】
（実施例６）
図８は本発明の第６の構成の実施例を示す親液処理装置の概略構成図である。図８において図１と同符号を付した部材は同じ構成部材であり、既に実施例１で説明しているので、ここでは説明を省略する。
本実施例は、記録体１の表面が液槽３内の液体４と接触し且つ記録体１の裏面が液体４と非接触状態にあるようにし（例えば図８に示すように、液槽３内で記録体１を支持し搬送を補助するローラ７ａ，７ｂを液体４の液面すれすれに配置し、記録体１の表面のみを液体４に接触させるようにし）、且つ記録体１の裏面に接触して該記録体１を加熱する手段（例えばヒータ）１５を有する親液処理装置を示している。
【００２５】
本発明に用いている液体４は、記録体１を液槽３より取り出し、撥液状態の加熱臨界温度（Ｔ２）以下に冷却するまでの間、記録体表面に液膜として存在していなければならない。その時、用いるべき液体４の特徴としては、加熱温度において蒸発することなく十分な粘性を有しており、且つ記録体１を変質しない特性を有していなければならない。具体的にはポリエチレングリコール、イソプロパノール等の高沸点溶剤が望ましい。しかし、この様な高沸点溶剤を除去するためには、水洗・拭き取り手段が不可欠であり、記録体裏面に液体４が付着した状態でロール状に巻き取った場合、良好な画像形成を妨げる可能性が高い。また、記録体両面の洗浄手段と拭き取り手段を設けることによりこの問題は解決するが、その際、装置構成は複雑で高価になる。
【００２６】
そこで、図８に示す実施例では、あらかじめ記録体１の裏面に液体４が接触することなしに記録体１の表面のみを液体４に接触させる手段を用いる（例えば液槽３内で記録体１を支持し搬送を補助するローラ７ａ，７ｂを液体４の液面すれすれに配置し、記録体１の表面のみを液体４に接触させるようにする）ことにより、記録体裏面に液体４が付着することによる画像劣化の問題を防止し、且つ記録体１の裏面に接触して記録体１を加熱する手段（例えばヒータ）１５を設けることにより記録体表面を均一に加熱して、記録体全面を均一に親液処理することができる。
【００２７】
（実施例７）
図９は本発明の第７の構成の実施例を示す親液処理装置の概略構成図である。図９において図１と同符号を付した部材は同じ構成部材であり、既に実施例１で説明しているので、ここでは説明を省略する。
本実施例は、記録体１の表面が液槽３内の液体４と接触し且つ記録体１の裏面が液体４と非接触状態にあるようにし、且つ記録体１の裏面に接触し記録体１の搬送を補助すると同時に、該記録体１を加熱する手段（例えばヒータ）を内蔵したローラ状部材（ヒータ内蔵ローラ）７ａ’，７ｂ’を有する親液処理装置を示している。すなわち、本実施例では、液槽３内で記録体１の裏面に接触し記録体１の搬送を補助するローラ７ａ’，７ｂ’を液体４の液面すれすれに配置し、記録体１の表面のみを液体４に接触させるようにすると同時に、そのローラ７ａ’，７ｂ’内に記録体１を加熱する手段（例えばヒータ）を内蔵したものである。
【００２８】
本実施例では、図８の実施例と比較して液槽３内のヒータ１５が省略され装置構成が簡素化されているが、ヒータ内蔵ローラ７ａ’，７ｂ’が液槽３内の記録体裏面と接触し、記録体１及び液体４を加熱しているため、図８の構成と同等の機能を有している。
【００２９】
（実施例８）
図１０は本発明の第８の構成の実施例を示す親液処理装置の概略構成図である。図１０において図１，８と同符号を付した部材は同じ構成部材であり、既に実施例１，８で説明しているので、ここでは説明を省略する。
本実施例は、図８と略同様な構成の親液処理装置において、加熱状態の液体４を格納する容器として半密閉状態の液槽３’を用いたものである。
【００３０】
実施例１〜７で示した構成においては、加熱手段（ヒータまたはヒータ内蔵ローラ）により加熱された液体４は温度の低い外気と接しているため、液槽中の液体の温度を維持するためには常時加熱しつづける必要がある。一方、本実施例では、図１０の液槽３’の上部に示された破線部３ａは記録体１の搬送路であり、液槽３’はその個所を除いて密閉され外部とは遮断されている。従って液槽３’内の空間も同様に加熱されるため、液温を維持するために常時加熱し続ける必要はない。また、外気との接触も最小限であるため、液槽３’内の熱の放出も最小限に抑えられ、効率的に液体４を加熱することができ、記録体表面を均一に加熱して、記録体全面を均一に親液処理することができる。
【００３１】
（実施例９）
図１１は本発明の第９の構成の実施例を示す親液処理装置の概略構成図である。図１１において図１と同符号を付した部材は同じ構成部材であり、既に実施例１で説明しているので、ここでは説明を省略する。
本実施例は、記録体１の表面が液槽３内の液体４と接触し且つ記録体１の裏面が液体と非接触状態にあるようにし（例えば図１１に示すように、液槽３内で記録体１を支持し搬送を補助するローラ７ａ，７ｂを液体４の液面すれすれに配置し、記録体１の表面のみを液体４に接触させるようにし）、且つ記録体１の裏面に加熱した気体を噴射して加熱する手段（例えばエアーノズル）１６を有する親液処理装置を示している。
【００３２】
実施例６（図８）や実施例７（図９）においては、記録体１の裏面に液体４が接触するのを防止する具体的な手段を講じていないが、液体４の表面張力が低い場合、稼動中の振動や、液体４の攪拌により記録体１の裏面に液体４が接触する可能性がある。これに対して、本実施例においては、エアーノズル１６により加熱した気体を記録体１の裏面に噴射することで記録体１を加熱すると同時に、記録体裏面への液体４の接触をその圧力により防止することができるので、これにより記録体裏面に液体４が付着することによる画像劣化の問題を確実に防止しつつ、記録体表面を均一に加熱することができ、記録体全面を均一に親液処理することができる。
【００３３】
（実施例１０）
図１２は本発明の第１０の構成の実施例を示す親液処理装置の概略構成図である。図１２において図１と同符号を付した部材は同じ構成部材であり、既に実施例１で説明しているので、ここでは説明を省略する。
本実施例は、記録体１の表面が液槽３内の液体４と接触し且つ記録体１の裏面が液体４と非接触状態にあるようにし（例えば図１２に示すように、液槽３内で記録体１を支持し搬送を補助するローラ７ａ，７ｂを液体４の液面すれすれに配置し、記録体１の表面のみを液体４に接触させるようにし）、且つ記録体１の裏面に非接触状態で加熱する手段（例えば熱線ヒータ）１７を有する親液処理装置を示している。
【００３４】
図１１に示した実施例９の構成においては、記録体１の裏面よりエアーノズル１６で気体を噴射することで記録体１の加熱及び記録体裏面への液体４の接触防止の手段を提案したが、その際に発生する振動により記録体１の搬送不良や騒音の発生が引き起こされる可能性がある。これに対して、本実施例においては、熱線ヒータ１７などによる放射熱・輻射熱を利用して記録体１を加熱するため、実施例９と同様の効果を得ながら、振動や騒音が全く発生することがなく、加熱手段による搬送不良が発生することがない。
【００３５】
【発明の効果】
以上説明したように、本発明の第１の構成の親液処理装置においては、加熱状態の液体を格納する容器に、液体を攪拌する手段、または加熱する手段、あるいはその両方を有することにより、親液処理時の容器（液槽）内の液体温度を均一にすることができるので、記録体全面を均一に親液処理することができ、良好な画像品質が得られる記録体を得ることができる。
第２の構成の親液処理装置においては、第１の構成及び効果に加えて、加熱状態の液体を格納する容器の底面に、該液体を加熱する手段を有することにより、親液処理時の容器内の液体温度を一定且つ均一に保つことができる。
第３の構成の親液処理装置においては、第１の構成及び効果に加えて、加熱状態の液体を格納する容器内部に、該液体を加熱する手段を有することにより、親液処理時の容器内の液体温度を効率的に一定且つ均一に保つことができる。
第４の構成の親液処理装置においては、第１の構成及び効果に加えて、記録体が液体と接触中に、該記録体裏面に接触して記録体と液体を加熱する手段を有することにより、記録体表面を効率的に加熱することができる。
第５の構成の親液処理装置においては、第１の構成及び効果に加えて、記録体が液体と接触中に、該記録体裏面に接触して記録体と液体を加熱し、且つ記録体搬送を補助する手段を有することにより、記録体搬送手段と加熱手段を統合し、且つ記録体裏面より接触して加熱することができ、記録体表面を簡素な装置構成で効率的に加熱することができる。
第６の構成の親液処理装置においては、第１の構成及び効果に加えて、記録体の記録面が液体と接触中で、該記録体裏面が前記液体と非接触状態にあるときに、前記記録体裏面に接触して加熱する手段を有することにより、記録体裏面が液体と接触しないようにして、記録体表面を効率的に加熱することができる。従って、記録体裏面に液体４が付着することによる画像劣化の問題を防止しつつ、記録体表面を均一に加熱することができ、記録体全面を均一に親液処理することができる。
第７の構成の親液処理装置においては、第１の構成及び効果に加えて、記録体の記録面が液体と接触中で、該記録体裏面が前記液体と非接触状態にあるときに、前記記録体裏面に接触して加熱し、且つ記録体搬送を補助する手段を有することにより、記録体搬送手段と加熱手段を統合でき、且つ記録体表面が液体と接触し且つ裏面が非接触の状態で、記録体裏面より加熱することができ、記録体表面を簡素な装置構成で効率的に加熱することができる。従って、記録体裏面に液体４が付着することによる画像劣化の問題を防止しつつ、記録体表面を均一に加熱することができ、記録体全面を均一に親液処理することができる。
第８の構成の親液処理装置においては、第１〜７のいずれかの構成及び効果に加えて、親液処理時の容器を半密閉状態にし、容器内の熱の拡散を防止することにより、記録体表面を効率的に加熱することができる。
【００３６】
第９の構成の親液処理装置においては、第１の構成及び効果に加えて、記録体の記録面が液体と接触中で、該記録体裏面が前記液体と非接触状態にあるときに、前記記録体裏面に加熱した気体を噴射して加熱する手段を有することにより、記録体表面を加熱し且つ記録体裏面への液体の接触を防ぐことができる。従って、記録体裏面に液体４が付着することによる画像劣化の問題を確実に防止しつつ、記録体表面を均一に加熱することができ、記録体全面を均一に親液処理することができる。
第１０の構成の親液処理装置においては、第１の構成及び効果に加えて、記録体の記録面が液体と接触中で、該記録体裏面が前記液体と非接触状態にあるときに、前記記録体裏面に非接触状態で加熱する手段を有することにより、記録体表面を加熱し且つ記録体裏面への液体の接触を防ぐことができる。従って、記録体裏面に液体４が付着することによる画像劣化の問題を確実に防止しつつ、記録体表面を均一に加熱することができ、記録体全面を均一に親液処理することができる。また、非接触状態で加熱する手段を用いたことにより、振動や騒音が発生することがなく、加熱手段による搬送不良が発生することがない。
【図面の簡単な説明】
【図１】本発明の第１の構成の実施例を示す親液処理装置の概略構成図である。
【図２】記録体を親液処理する際の液体の液温と記録体表面の後退接触角の関係を示す図である。
【図３】記録体表面の後退接触角と画像濃度の関係を示す図である。
【図４】本発明の第２の構成の実施例を示す親液処理装置の概略構成図である。
【図５】本発明の第３の構成の実施例を示す親液処理装置の概略構成図である。
【図６】本発明の第４の構成の実施例を示す親液処理装置の概略構成図である。
【図７】本発明の第５の構成の実施例を示す親液処理装置の概略構成図である。
【図８】本発明の第６の構成の実施例を示す親液処理装置の概略構成図である。
【図９】本発明の第７の構成の実施例を示す親液処理装置の概略構成図である。
【図１０】本発明の第８の構成の実施例を示す親液処理装置の概略構成図である。
【図１１】本発明の第９の構成の実施例を示す親液処理装置の概略構成図である。
【図１２】本発明の第１０の構成の実施例を示す親液処理装置の概略構成図である。
【符号の説明】
１：記録体
２：記録体供給ロール
３：液槽（加熱状態の液体を格納する容器）
３’：半密閉状態の液槽
３ａ’：記録体搬送路
４：液体
５：モータ
６：プロペラ（攪拌手段）
７ａ〜７ｆ：ローラ（搬送補助手段）
７ａ’，７ｂ’：ヒータ内蔵ローラ（加熱・搬送補助手段）
８：洗浄用水槽
９：洗浄液
１０：スポンジローラ
１１：記録体巻取ロール
１２〜１５：ヒータ（加熱手段）
１６：エアーノズル（加熱気体噴射手段）
１７：熱線ヒータ（非接触加熱手段）
【図１】
2004291252.tif 000003
【図２】
2004291252.tif 000004
【図３】
2004291252.tif 000005
【図４】
2004291252.tif 000006
【図５】
2004291252.tif 000007
【図６】
2004291252.tif 000008
【図７】
2004291252.tif 000009
【図８】
2004291252.tif 000010
【図９】
2004291252.tif 000011
【図１０】
2004291252.tif 000012
【図１１】
2004291252.tif 000013
【図１２】
2004291252.tif 000014